(57)【要約】【課題】  複数の表示を切り替えて表示しつつ、１つの表示内での明暗を抑制して表示品質を向上させることができる可変表示構造を提供すること。【解決手段】  透光性のあるシート１０ａに波長の異なる第１光源３の光と第２光源４、及び第３光源５の光を切り換えて投光させ、第１表示１２と第２表示１３、及び第３表示１４を行わせる可変表示構造であって、一つの光源の光を透過させる印刷部分と、複数の光源の光を透過させる印刷部分と、いずれの光源の光も透過させない背景印刷部分１０ｊと、をシート１０ａにそれぞれの印刷領域として備えた。【選択図】      図１
2008276004.tif 000002
【特許請求の範囲】
【請求項１】
透光性のあるシートに波長の異なる第１光源の光と第２光源、及び第３光源の光を切り換えて投光させ、
第１表示と第２表示、及び第３表示を行わせる可変表示構造であって、
一つの光源の光を透過させる単光透過印刷部分と、
複数の光源の光を透過させる複数光透過印刷部分と、
いずれの光源の光も透過させない背景印刷部分と、
を前記シートにそれぞれの印刷領域として備えた、
ことを特徴とする可変表示構造。
【請求項２】
請求項１に記載の可変表示構造において、
前記第１光源の波長のみを透過させる第１印刷部分と、
前記第２光源の波長のみを透過させる第２印刷部分と、
前記第３光源の波長のみを透過させる第３印刷部分と、
前記第１表示と前記第２表示の重複する部分で、第１光源及び第２光源の光を透過する第１調光印刷部と、
前記第２表示と前記第３表示の重複する部分で、第２光源及び第３光源の光を透過する第２調光印刷部と、
を備えることを特徴とする可変表示構造。
【請求項３】
請求項２に記載の可変表示構造において、
前記第１表示と前記第３表示の重複する部分で、第１光源及び第３光源の光を透過する第３調光印刷部を備えた、
ことを特徴とする可変表示構造。
【請求項４】
請求項３に記載の可変表示構造において、
前記第１表示と前記第２表示及び前記第３表示の重複する部分で、第１光源と第２光源及び第３光源の光を透過する第４調光印刷部を備えた、
ことを特徴とする可変表示構造。
【請求項５】
請求項１〜請求項４のいずれか１項に記載の可変表示構造において、
複数の光源を同時に点灯させるようにした、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、ハウジングに重ね合わせて装着した３つの意匠レンズは、３つの表示部を光透過性としてそれぞれ意匠パターンを異ならせてあると共に、３つの各表示部以外の部分は特定波長域の光は透過するがその他の波長域は反射するそれぞれ光反射特性の異なるマスキング処理を施し、そして、ハウジング内に３つの各意匠レンズの光反射特性に合わせてそれぞれ異なる特定波長の光を発する３つの光源を配設している（例えば、特許文献１参照）。
【特許文献１】特許第３１６０１６６号公報（第１−７頁、全図）
【発明の開示】
【発明が解決しようとする課題】
【０００３】
しかしながら、従来では、表示数に合わせて意匠レンズを複数枚重ねる構成であり、表示が重なる部分と重ならない部分の透過率が異なってしまうため、１つの表示内での明暗のエリアが存在し表示品質が低下する問題があった。
【０００４】
本発明は、上記問題に着目してなされたもので、その目的とするところは、複数の表示を切り替えて表示しつつ、１つの表示内での明暗を抑制して表示品質を向上させることができる可変表示構造を提供することにある。
【課題を解決するための手段】
【０００５】
上述の目的を達成するため、本発明の可変表示構造では、透光性のあるシートに波長の異なる第１光源の光と第２光源、及び第３光源の光を切り換えて投光させ、第１表示と第２表示、及び第３表示を行わせる可変表示構造であって、一つの光源の光を透過させる単光透過印刷部分と、複数の光源の光を透過させる複数光透過印刷部分と、いずれの光源の光も透過させない背景印刷部分と、を前記シートにそれぞれの印刷領域として備えた、ことを特徴とすることを特徴とする。
【発明の効果】
【０００６】
本発明では、複数の表示を切り替えて表示しつつ、１つの表示内での明暗を抑制して表示品質を向上させることができる。
【発明を実施するための最良の形態】
【０００７】
以下に、本発明の距離画像生成装置を実現する実施の形態を、請求項１，２，３，４に係る実施の形態に対応した実施例１、請求項１，２，５に係る実施の形態に対応した実施例２、請求項１，２，３，５に係る実施の形態に対応した実施例３に基づいて説明する。
【実施例１】
【０００８】
まず構造を説明する。
図１は実施例１の可変表示構造のスイッチを示す断面図である。図２は実施例１のカラーフィルタの正面図である。図３は図２のＡ−Ａ断面図である。図４は図２のＢ−Ｂ断面図である。図５は各印刷部分と各光源の波長特性の関係を示す説明図である。図６は、第１表示、第２表示、第３表示を表示させた状態を示す説明図である。
スイッチ１は、まず、矩形枠状のスイッチフィニッシャ２の内部に矩形枠状のガイドハウジング８を設ける（図１参照）。
ガイドハウジング８には、矩形枠状のスイッチフィニッシャ２の開口面から開口面へ向かう方向、つまり、前後面に摺動可能なレール部分を設ける。
スイッチフィニッシャ２及びガイドハウジング８の背面側には、開口を塞ぐ板状の基板７を設ける。
【０００９】
基板７の前面側、つまりスイッチフィニッシャ２の内部側には、波長が約６３０nmをピークとする第１光源３と、波長が約４７０nmをピークとする第２光源４、波長が約５５０nmをピークとする第３光源５、押されることによりON/OFFの操作入力を行うタクトスイッチ６を設ける。
第１光源３及び第２光源４、第３光源５としては、異なる色を発色するLEDがコスト抑制、メンテナンス性から好ましいが、別のものであってもよい。次に、内外で２重の枠部分を有するスライダ９を設ける。スライダ９の内部の枠部分は、第１光源３及び第２光源４側に行くに従って角錐状に内側が狭くなる形状にする。また、スライダ９の内側の枠形状部分は後方に延長し、第１光源３及び第２光源４、第３光源５の側方を覆うようにする。
【００１０】
さらに、スライダ９の内側の枠形状部分の下方傾斜面には、下方に突出する形状の係合部９ａを設ける。係合部９ａの位置は、下方に移動するとタクトスイッチ６と係合する位置にする。
スライダ９の内側枠部分の前面部分には、カラーフィルタ１０を設ける。
カラーフィルタ１０の前面部分には、消灯時に外光によって印刷パターンが見えてしまうのを防ぐために全体的に透光性が低くされたスモークレンズ１１を設ける。
【００１１】
ここで、スモークレンズ１１、カラーフィルタ１０を取り付けたスライダ９を、ガイドハウジング８のレール部分に係合させて前後に摺動自在にする。
これにより、スライダ９をタクトスイッチ６に向かって押すと、スライダ９が摺動して傾斜面から下方に突出する形状の係合部９ａがタクトスイッチ６を押す構造にする。
また、押された後に、自由状態にすると、タクトスイッチ６の反力で戻る構造にする。
【００１２】
カラーフィルタ１０は、透明なシート１０ａの前面に、第１印刷部分１０ｂ、第２印刷部分１０ｃ、第３印刷部分１０ｄ、第１調光印刷部１０ｅ、第２調光印刷部１０ｆ、第３調光印刷部１０ｇ、第４調光印刷部１０ｈ、背景印刷部分１０ｊを設ける。
ここで、第１表示１２を図６(a)に示す文字の「Ａ」、第２表示１３を図６(b)に示す文字の「Ｅ」、第３表示１４を図６(c)に示す文字の「Ｉ」とする。
第１印刷部分１０ｂは、第１表示１２である「Ａ」の第２表示１３「Ｅ」及び第３表示１４「Ｉ」と重ならない図２の部分であり、赤色光を通過させる赤い色の印刷である。この第１印刷部分１０ｂの波長に対する透過効率の特性は、図５の線２１で示す特性となる。
【００１３】
第２印刷部分１０ｃは、第２表示１３である「Ｅ」の第１表示１２「Ａ」及び第３表示１４「Ｉ」と重ならない図２の部分であり、青色光を通過させる青い色の印刷である。この第２印刷部分１０ｃの波長に対する透過効率の特性は、図５の線２２で示す特性となる。
【００１４】
第３印刷部分１０ｄは、第３表示１４である「Ｉ」の第１表示１２「Ａ」及び第２表示１３「Ｅ」と重ならない図２の部分であり、緑色光を通過させる緑色の印刷である。この第３印刷部分１０ｄの波長に対する透過効率の特性は、図５の線２３で示す特性となる。
【００１５】
第１調光印刷部１０ｅは、第１表示１２である「Ａ」と第２表示１３である「Ｅ」の重なる図２の部分であり、赤色光及び青色光を通過させる印刷である。第１調光印刷部１０ｅの波長に対する透過効率の特性は、図５の線２４で示す特性となる。
【００１６】
第２調光印刷部１０ｆは、第２表示１３である「Ｅ」と第３表示１４である「Ｉ」の重なる図２の部分であり、青色光及び緑色光を通過させる印刷である。第２調光印刷部１０ｆの波長に対する透過効率の特性は、図５の線２５で示す特性となる。
【００１７】
第３調光印刷部１０ｇは、第１表示１２である「Ａ」と第３表示１４である「Ｉ」の重なる図２の部分であり、赤色光及び緑色光を通過させる印刷である。第２調光印刷部１０ｇの波長に対する透過効率の特性は、図５の線２６で示す特性となる。
【００１８】
第４調光印刷部１０ｈは、第１表示１２である「Ａ」と第２表示１３である「Ｅ」及び第３表示１４である「Ｉ」の重なる図２の部分であり、赤色光と青色光及び緑色光を通過させる印刷である。第２調光印刷部１０ｈの波長に対する透過効率の特性は、図５の線２７で示す特性となる。
【００１９】
背景印刷部分１０ｊは、第１表示１２である「Ａ」と第２表示１３である「Ｅ」及び第３表示１４である「Ｉ」以外の部分であり、赤色光及び青色光、緑色光を通過させない印刷部分である。
実施例１において、各印刷部分は、それぞれの領域が重ならないように１層の領域を形成するものである（図３、図４参照）。
但し、１層の意味は１種類のインク層を意味するものではない。いずれかの印刷層を形成するのに複数色のインク層を重ねて１層の印刷部分を形成してもよい。また、光の透過率を調整するために、複数回、インク層を重ねて１層の印刷部分を形成してもよい。１層は、複数シートを重ねて複数層を形成することがないことを意味している。
【００２０】
次に作用を説明する。
[表示作用]
(a)第１表示
実施例１において、第１表示１２を表示させるには、第１光源３を点灯させ、第２光源４、第３光源５を消灯する。
第１光源３から発せられる光は、スライダ９の内側枠で、第１光源３の側方に発散する光を前方に反射する。
このスライダ９の内側枠の内部空間を通るようにして、前面部分からカラーフィルタ１０に光が入光する。
【００２１】
すると、光はシート１０ａを通過し、第１印刷部分１０ｂでは、図５に示すように第１光源３の光を通過させる（線１０１と線２１で示す関係）。
第２印刷部分１０ｃでは、図５の線１０１と線２２の関係に示すように第１光源３の光を通過させない。
第３印刷部分１０ｄでは、図５の線１０１と線２３の関係に示すように第１光源３の光を通過させない。
【００２２】
第１調光部印刷部分１０ｅでは、図５の線１０１と線２４の関係に示すように第１光源３の光を通過させる。
第２調光部印刷部分１０ｆでは、図５の線１０１と線２５の関係に示すように第１光源３の光を通過させない。
第３調光部印刷部分１０ｇでは、図５の線１０１と線２６の関係に示すように第１光源３の光を通過させる。
第４調光部印刷部分１０ｈでは、図５の線１０１と線２７の関係に示すように第１光源３の光を通過させる。
【００２３】
また、背景印刷部分１０ｊは、第１光源３の光を通過させない。
このようにして、光が通過する各部分が明るく表示するにより、第１表示１２、つまり、図６(a)に示す「Ａ」が赤色で表示されることになる。
また、スモークレンズ１１では、表示光は輝度を一様に抑制されて通過する。このスモーク作用によりやや暗くぼかされて表示光を通過させる。そのため、各印刷部分と各調光印刷部の違いもさらに認識できにくくなり、実際に使用する人が見る距離では、見分けがつきにくくなる。よって第１表示１２がより明確に表示される。
【００２４】
(b)第２表示
実施例１において、第２表示１３を表示させるには、第２光源４を点灯させ、第１光源３、第３光源５を消灯する。
すると、光はシート１０ａを通過し、第１印刷部分１０ｂでは、図５の線１０２と線２１の関係に示すように第２光源４の光を通過させない。
第２印刷部分１０ｃでは、図５の線１０２と線２２の関係に示すように第２光源４の光を通過させる。
第３印刷部分１０ｄでは、図５の線１０２と線２３の関係に示すように第２光源４の光を通過させない。
【００２５】
第１調光部印刷部分１０ｅでは、図５の線１０２と線２４の関係に示すように第２光源４の光を通過させる。
第２調光部印刷部分１０ｆでは、図５の線１０２と線２５の関係に示すように第２光源４の光を通過させる。
第３調光部印刷部分１０ｇでは、図５の線１０２と線２６の関係に示すように第２光源４の光を通過させない。
第４調光部印刷部分１０ｈでは、図５の線１０２と線２７の関係に示すように第２光源４の光を通過させる。
【００２６】
また、背景印刷部分１０ｊは、第２光源４の光を通過させない。
このようにして光を通過させる各部分が明るく表示することにより、第２表示１３、つまり、図６(b)に示す「Ｂ」が青色で表示されることになる。そして、スモークレンズ１１を通過する際の輝度抑制により、表示以外の部分が一様に暗く表示に寄与しない部分となることで、より明確に第２表示１３である文字「Ｂ」が表示される。
【００２７】
(c)第３表示
実施例１において、第３表示１４を表示させるには、第３光源５を点灯させ、第１光源３、第２光源４を消灯する。
すると、光はシート１０ａを通過し、第１印刷部分１０ｂでは、図５の線１０３と線２１の関係に示すように第１光源３の光を通過させない。
第２印刷部分１０ｃでは、図５の線１０３と線２２の関係に示すように第３光源５の光を通過させない。
第３印刷部分１０ｄでは、図５の線１０３と線２３の関係に示すように第３光源５の光を通過させる。
【００２８】
第１調光部印刷部分１０ｅでは、図５の線１０３と線２４の関係に示すように第３光源５の光を通過させない。
第２調光部印刷部分１０ｆでは、図５の線１０３と線２５の関係に示すように第３光源５の光を通過させる。
第３調光部印刷部分１０ｇでは、図５の線１０３と線２６の関係に示すように第３光源５の光を通過させる。
第４調光部印刷部分１０ｈでは、図５の線１０３と線２７の関係に示すように第３光源５の光を通過させる。
また、背景印刷部分１０ｊは、第３光源５の光を通過させない。
【００２９】
このようにして光を通過させる部分が明るく表示することにより第３表示１３、つまり、図６(c)に示す「Ｉ」が緑色で表示されることになる。そして、スモークレンズ１１を通過する際の輝度抑制により、表示以外の部分が一様に暗く表示に寄与しない部分となることで、第２表示１３である文字「Ｉ」が表示される。
このようにして、実施例１では、３種類の光源を切換えることにより、同じ位置で３つの意匠を表示することができる。
【００３０】
また、この３つの表示を切換える可変表示は、シート１０ａ上に設けた各印刷部分の特性を組合せることで生成される。そのため、シート１０ａ上に各印刷部分は１層として設けられるのみであり、シートの重なりによるような輝度の低下はない。そのため、従来よりも各光源の輝度を損失することなく表示を行うことができる。また、この印刷部分は、図５に示すように各印刷部分の透過特性が一様であるならば、１層の厚さを均一にすればよく、異なるようであれば１層の厚さを変更するようにして、全体の印刷部分が一様になるようにすればよい。但し、背景印刷部分１０ｊを除く。
これにより、確実に１面の表示の一部に輝度ムラが生じることがない。
【００３１】
[スイッチ作用]
実施例１では、操作する人がスモークレンズ１１を押すと、一体化したスライダ９が摺動し、スライダ９の一部がタクトスイッチ６を押す。
スイッチ１としては、基板７に設けられる図示しない回路によって、どの表示状態において、タクトスイッチ６に入力があったかを判断し、３つの操作入力として使用する。これにより、１つのスイッチにおいて、異なるモードでの操作入力が可能となる。
【００３２】
（実施例１の応用例）
図７に示すのは、実施例１の可変表示構造を用いたプッシュスタートスイッチの表示例を示す説明図である。
図７に示すプッシュスタートスイッチ５０では、スイッチ中央に、３つの意匠、「Ｉ−ＫＥＹ＿ＩＤ＿ＯＫ」、「ＳＴＡＲＴ＿ＥＮＧＩＮＥ」、「ＳＴＯＰ＿ＥＮＧＩＮＥ」を、青、緑、赤の３色で、同じ位置に可変表示する。
【００３３】
そして、OFF状態で、携帯機と車載機のキーレスのための認証がＯＫの状態に、青色で「Ｉ−ＫＥＹ＿ＩＤ＿ＯＫ」を表示する（図７(a)参照）。
次に、ACC電源のオン状態とIGN電源のオン状態に、緑色で「ＳＴＡＲＴ＿ＥＮＧＩＮＥ」を表示する（図７(b)参照）。
次に、エンジン動作中の状態に、赤色で「ＳＴＯＰ＿ＥＮＧＩＮＥ」を表示する（図７(c)参照）。
【００３４】
このように表示させると、プッシュスタートスイッチ５０は、車両の状態を示す表示部として、中央に色と意匠を切り替えて、且つ同じ位置に表示されるために、非常に分かりやすい表示となる。
図８はプッシュスタートスイッチの表示例を示す説明図である。
プッシュスタートスイッチの表示としては、図８に示すように、中央に変化しない表示を配置し、「Ｌｏｃｋ」、「Ａｃｃ」、「ＯＮ」を点灯、非点灯で異なる位置に表示するものを考えるが、これに対して、実施例１の応用例である図７に示すもののほうが、明らかに表示が見やすく、車両の状態がわかりやすい。
【００３５】
次に効果を説明する。
本実施の形態の可変表示構造にあっては、次に列挙する効果を得ることができる。
(1)透光性のあるシート１０ａに波長の異なる第１光源３の光と第２光源４、及び第３光源５の光を切り換えて投光させ、第１表示１２と第２表示１３、及び第３表示１４を行わせる可変表示構造であって、一つの光源の光を透過させる印刷部分と、複数の光源の光を透過させる印刷部分と、いずれの光源の光も透過させない背景印刷部分１０ｊと、をシート１０ａにそれぞれの印刷領域として備えたため、光源点灯時の透過特性が異なる印刷部分の配置組み合わせで表示を形成し、複数の表示を切り替えて表示しつつ、１層の印刷部分を設けるのみにして、１つの表示内での明暗を抑制して表示品質を向上させることができる。
【００３６】
(2) (1)において、第１光源３の波長のみを透過させる第１印刷部分１０ｂと、第２光源４の波長のみを透過させる第２印刷部分１０ｃと、第３光源５の波長のみを透過させる第３印刷部分１０ｄと、第１表示１２と第２表示１３の重複する部分で、第１光源３及び第２光源４の光を透過する第１調光印刷部１０ｅと、第２表示１３と第３表示１４の重複する部分で、第２光源４及び第３光源５の光を透過する第２調光印刷部１０ｆを備えるため、第１光源３〜第３光源５の点灯時の透過特性が異なる第１印刷部分１０ｂ，第２印刷部分１０ｃ，第３印刷部分１０ｄ，第１調光印刷部１０ｅ，第２調光印刷部１０ｆの配置組み合わせで表示を形成し、第１〜第３の表示を切り替えて表示しつつ、１層の印刷部分を設けるのみにして、１つの表示内での明暗を抑制して表示品質を向上させることができる。
【００３７】
(3) (2)において、第１表示１２と第３表示１４の重複する部分で、第１光源３及び第３光源５の光を透過する第３調光印刷部１０ｇを備えたため、第１光源３〜第３光源５の点灯時の透過特性が異なる第１印刷部分１０ｂ，第２印刷部分１０ｃ，第３印刷部分１０ｄ，第１調光印刷部１０ｅ，第２調光印刷部１０ｆ，第３調光印刷部１０ｇの配置組み合わせで自由度の向上した同じ位置での可変表示を形成し、第１〜第３の表示を切り替えて表示しつつ、１層の印刷部分を設けるのみにして、１つの表示内での明暗を抑制して表示品質を向上させることができる。
【００３８】
(4) (3)において、第１表示１２と第２表示１３及び第３表示１４の重複する部分で、第１光源３と第２光源４及び第３光源５の光を透過する第４調光印刷部１０ｈを備えたため、第１光源３〜第３光源５の点灯時の透過特性が異なる第１印刷部分１０ｂ，第２印刷部分１０ｃ，第３印刷部分１０ｄ，第１調光印刷部１０ｅ，第２調光印刷部１０ｆ，第３調光印刷部１０ｇ，第４調光印刷部１０ｈの配置組み合わせで自由度の向上した同じ位置での可変表示を形成し、第１〜第３の表示を切り替えて表示しつつ、１層の印刷部分を設けるのみにして、１つの表示内での明暗を抑制して表示品質を向上させることができる。
【実施例２】
【００３９】
実施例２の可変表示構造は、可変表示構造において、点灯する光源数を変えて表示を行う例である。
図９は実施例２のカラーフィルタの正面図である。
構成を説明する。
実施例２では、図９に示すように、第１印刷部分１０ｂ，第２印刷部分１０ｃ，第３印刷部分１０ｄ，第１調光印刷部１０ｅ，第２調光印刷部１０ｆをシート１０ａに設けるようにし、これを第１光源３、第２光源４、第３光源５で背後から投光する構成にする。
その他構成は実施例１と同様であるので説明を省略する。
【００４０】
作用を説明する。
[表示作用]
図１０及び図１１は実施例２の可変表示構造の表示の説明図である。
実施例２では、第１光源３を点灯させると、第１印刷部分１０ｂ及び第１調光印刷部１０ｅで光を透過して、赤い第１表示１２を表示する（図１１(a)参照）。
第２光源４を点灯させると、第２印刷部分１０ｃと第１調光印刷部１０ｅ及び第２調光印刷部１０ｆで光を透過して、青い第２表示１３を表示する（図１１(b)参照）。
そして、第３光源５を点灯させると、第３印刷部分１０ｄ及び第２調光印刷部１０ｆで光を透過して、緑の第３表示１４を表示する（図１１(c)参照）。
【００４１】
さらに、実施例２では、第１光源３と第２光源４を同時に点灯させる。
すると、第１印刷部分１０ｂでは、赤い第１表示１２が表示され、第２印刷部分１０ｃでは、青い第２表示１３が表示される。そして、第１調光印刷部１０ｅでは、第１光源３と第２光源４の光が透過するために、第１光源３と第２光源４の混合色で、この部分が表示され第４表示１５を表示する（図１０(a)参照）。
【００４２】
また次に、第２光源４と第３光源５を同時に点灯させる。
すると、第２印刷部分１０ｃでは、青い第２表示１３が表示され、第３印刷部分１０ｄでは、緑の第３表示１４が表示され、第２調光印刷部１０ｆでは、第２光源４と第３光源５の光が透過するために、第２光源４と第３光源５の混合色で、この部分が表示され第５表示１６を表示する（図１０(b)参照）。
このように、３つの光源のうちの２つを同時に点灯させることにより図１０、図１１に示す５種類の表示を切り替えることができる。
【００４３】
効果を説明する。
実施例２の可変表示構造にあっては、上記(1),(2)の効果に加えて、以下の効果を有する。
(5)複数の光源を同時に点灯させるようにしたため、第１光源３と第２光源４の光が透過する第１調光印刷部１０ｅで、第１表示１２と第２表示１３に加えて第４表示１５を表示させることができ、第２光源４と第３光源５の光が透過する第２調光印刷部１０ｆで、第２表示１３と第３表示１４に加えて第５表示１６を表示させることができ、表示の自由度を向上させ、ひいては表示品質を向上させることができる。
【実施例３】
【００４４】
実施例３の可変表示構造は、可変表示構造において、点灯する光源数を変えて表示を行う例である。
図１２は実施例３のカラーフィルタの正面図である。
構成を説明する。
実施例３では、図１２に示すように、第１印刷部分１０ｂ，第２印刷部分１０ｃ，第３印刷部分１０ｄ，第１調光印刷部１０ｅ，第２調光印刷部１０ｆ，第３調光印刷部１０ｇをシート１０ａに設けるようにし、これを第１光源３、第２光源４、第３光源５で背後から投光する構成にする。
その他構成は実施例１と同様であるので説明を省略する。
【００４５】
作用を説明する。
[表示作用]
図１３〜図１５は実施例３の可変表示構造の表示の説明図である。
実施例３では、第１光源３を点灯させると、第１印刷部分１０ｂと第１調光印刷部１０ｅ及び第３調光印刷部１０ｇで光を透過して、赤い第１表示１２を表示する（図１５(a)参照）。
第２光源４を点灯させると、第２印刷部分１０ｃと第１調光印刷部１０ｅ及び第２調光印刷部１０ｆで光を透過して、青い第２表示１３を表示する（図１５(b)参照）。
そして、第３光源５を点灯させると、第３印刷部分１０ｄと第２調光印刷部１０ｆ及び第３調光印刷部１０ｇで光を透過して、緑の第３表示１４を表示する（図１５(c)参照）。
【００４６】
さらに、実施例３では、第１光源３と第２光源４を同時に点灯させる。
すると、第１印刷部分１０ｂでは、赤い第１表示１２が表示され、第２印刷部分１０ｃでは、青い第２表示１３が表示される。そして、第１調光印刷部１０ｅでは、第１光源３と第２光源４の光が透過するために、第１光源３と第２光源４の混合色で、この部分が表示され第４表示１５を表示する（図１４(c)参照）。
【００４７】
また次に、第２光源４と第３光源５を同時に点灯させる。
すると、第２印刷部分１０ｃでは、青い第２表示１３が表示され、第３印刷部分１０ｄ及び第３調光印刷部１０ｇでは、緑の第３表示１４が表示され、第２調光印刷部１０ｆでは、第２光源４と第３光源５の光が透過するために、第２光源４と第３光源５の混合色で、この部分が表示され第５表示１６を表示する（図１４(b)参照）。
【００４８】
また次に、第１光源３と第２光源４を同時に点灯させる。
すると、第１印刷部分１０ｂでは、赤い第１表示１２が表示され、第３印刷部分１０ｄ及び第２調光印刷部１０ｆでは、緑の第３表示１４が表示され、第３調光印刷部１０ｇでは、第１光源３と第２光源４の光が透過するために、第１光源３と第２光源４の混合色で、この部分が表示され第６表示１７を表示する（図１４(c)参照）。
【００４９】
また次に、第１光源３と第２光源４及び第３光源５を同時に点灯させる。
すると、第１印刷部分１０ｂでは、赤い第１表示１２が表示され、第２印刷部分１０ｃでは、青い第２表示１３が表示され、第３印刷部分１０ｄでは、緑の第３表示１４が表示される。
さらに、第１調光印刷部１０ｅでは、第１光源３と第２光源４の光が透過するために、第１光源３と第２光源４の混合色で、この部分が表示され第４表示１５を表示する。また、第２調光印刷部１０ｆでは、第２光源４と第３光源５の光が透過するために、第２光源４と第３光源５の混合色で、この部分が表示され第５表示１６を表示する。そして、第３調光印刷部１０ｇでは、第１光源３と第２光源４の光が透過するために、第１光源３と第２光源４の混合色で、この部分が表示され第６表示１７を表示する（図１３参照）。
このように、３つの光源のうちの２つ又は３つを同時に点灯させることにより図１３〜図１５に示す７種類の表示を切り替えることができる。
【００５０】
効果を説明する。
実施例２の可変表示構造にあっては、上記(1),(2),(3)の効果に加えて、以下の効果を有する。
(5)´複数の光源を同時に点灯させるようにしたため、第１光源３と第２光源４の光が透過する第１調光印刷部１０ｅで、第１表示１２と第２表示１３に加えて第４表示１５を表示させることができ、第２光源４と第３光源５の光が透過する第２調光印刷部１０ｆで、第２表示１３と第３表示１４に加えて第５表示１６を表示させることができ、第１光源３と第２光源４の光が透過する第３調光印刷部１０ｇで、第６表示１７を表示させることができ、表示の自由度を向上させ、ひいては表示品質を向上させることができる。
以上、本発明の実施の形態を実施例１〜実施例３に基づいて説明してきたが、本発明の具体的な構成は実施例に限定されるものではなく、発明の要旨を逸脱しない範囲の設計変更等があっても、本発明に含まれる。
第１表示１２、第２表示１３、第３表示１４は他の色であってもよい。
印刷には、シルク印刷、凸版印刷、インクジェット印刷、熱転写印刷があり、いずれの印刷によるものでもよい。また、他の印刷によるものであってもよい。
「それぞれの印刷領域」は、重ならない配置で全体として１層の印刷面を形成することを意味するが、印刷の工程上、領域間に隙間が生じないように重ねるよう領域端を処理する部分は、「それぞれの印刷領域」の意味に含まれるものとする。
【産業上の利用可能性】
【００５１】
本願の可変表示構造は、車両メータやスイッチ等のように、簡易的な表示が必要な部位への利用は容易である。
【図面の簡単な説明】
【００５２】
【図１】実施例１の可変表示構造のスイッチを示す断面図である。
【図２】実施例１のカラーフィルタの正面図である。
【図３】図２のＡ−Ａ断面図である。
【図４】図２のＢ−Ｂ断面図である。
【図５】各印刷部分と各光源の波長特性の関係を示す説明図である。
【図６】第１表示、第２表示、第３表示を表示させた状態を示す説明図である。
【図７】実施例１の可変表示構造を用いたプッシュスタートスイッチの表示例を示す説明図である。
【図８】プッシュスタートスイッチの表示例を示す説明図である。
【図９】実施例２のカラーフィルタの正面図である。
【図１０】実施例２の可変表示構造の表示の説明図である。
【図１１】実施例２の可変表示構造の表示の説明図である。
【図１２】実施例３のカラーフィルタの正面図である。
【図１３】実施例３の可変表示構造の表示の説明図である。
【図１４】実施例３の可変表示構造の表示の説明図である。
【図１５】実施例３の可変表示構造の表示の説明図である。
【符号の説明】
【００５３】
１  スイッチ
２  スイッチフィニッシャ
３  第１光源
４  第２光源
５  第３光源
６  タクトスイッチ
７  基板
８  ガイドハウジング
９  スライダ
９ａ  係合部
１０  カラーフィルタ
１０ａ  シート
１０ｂ  第１印刷部分
１０ｃ  第２印刷部分
１０ｄ  第３印刷部分
１０ｅ  第１調光印刷部
１０ｆ  第２調光印刷部
１０ｇ  第３調光印刷部
１０ｈ  第４調光印刷部
１０ｊ  背景印刷部分
１１  スモークレンズ
１２  第１表示
１３  第２表示
１４  第３表示
１５  第４表示
１６  第５表示
１７  第６表示
２１〜２７  （波長透過特性を示す）線
５０  プッシュスタートスイッチ
１０１  （第１光源の特性を示す）線
１０２  （第２光源の特性を示す）線
１０３  （第３光源の特性を示す）線
【図１】
2008276004.tif 000003
【図２】
2008276004.tif 000004
【図３】
2008276004.tif 000005
【図４】
2008276004.tif 000006
【図５】
2008276004.tif 000007
【図６】
2008276004.tif 000008
【図７】
2008276004.tif 000009
【図８】
2008276004.tif 000010
【図９】
2008276004.tif 000011
【図１０】
2008276004.tif 000012
【図１１】
2008276004.tif 000013
【図１２】
2008276004.tif 000014
【図１３】
2008276004.tif 000015
【図１４】
2008276004.tif 000016
【図１５】
2008276004.tif 000017